(57)【要約】      （修正有）【課題】回路基板及び電子素子に適用されるガイドインサートコネクタを提供する。【解決手段】ガイドインサートコネクタ１０は、オスプラグ１２及びメスソケット１４を備える。オスプラグは、第１の筐体１２２及び第１の電極１２４を有する。第１の筐体には、受け面を有する第１の収容空間ＦＳＰが形成される。第１の筐体は、更に第１の開口のプラグ端を含む。第２の筐体には、第２の収容空間１４４及びガイド面が形成される。第２の筐体は、更に第２の開口のプラグ端を含む。ガイド面は受け面に対応して設けられ、ソケット端はプラグ端に対応して設けられる。ガイド面が受け面に沿って滑り込まれた時に、第１の収容空間はメスソケットのソケット端を覆い、第１の収容空間において、プラグ端をソケット端に挿入させ、第１の電極を第２の電極に電気的に接続する。【選択図】図１
0003227973.tif 000002
【実用新案登録請求の範囲】
【請求項１】
回路基板及び電子素子に適用されるガイドインサートコネクタであって、
第１の筐体及び第１の電極を有するオスプラグと、
第２の筐体及び第２の電極を有するメスソケットと、
を備え、
前記第１の筐体には、受け面を有する第１の収容空間が形成され、前記第１の筐体は、更に第１の開口のプラグ端を含み、前記第１の電極の一部が前記第１の収容空間に設けられるように前記第１の電極を前記第１の開口に設置し、前記第１の電極の別の部分は前記第１の筐体の外方に露出して前記回路基板を接続し、
前記第２の筐体には、第２の収容空間及びガイド面が形成され、前記第２の筐体は、更に第２の開口のプラグ端を含み、前記第２の電極の一部が前記第２の収容空間に設けられて前記電子素子を接続するように前記第２の電極を前記第２の開口に設置し、前記ガイド面は前記受け面に対応して設けられ、前記ソケット端は前記プラグ端に対応して設けられ、
前記第１の収容空間が前記メスソケットのソケット端を覆うように、前記ガイド面は前記受け面に沿って滑り込まれ、前記第１の収容空間において、前記プラグ端を前記ソケット端に挿入させ、前記第１の電極を前記第２の電極に電気的に接続することを特徴とするガイドインサートコネクタ。
【請求項２】
前記オスプラグは、前記第１の筐体に設けられ、前記第１の筐体を前記回路基板に固定する固定部材を更に含むことを特徴とする請求項１に記載のガイドインサートコネクタ。
【請求項３】
前記プラグ端は、前記第１の筐体の中央部分に形成され、
前記ソケット端は、前記第２の筐体の中央部分に形成されることを特徴とする請求項１に記載のガイドインサートコネクタ。
【請求項４】
前記第２の筐体の外周縁は、前記第１の筐体の内周縁以下であることを特徴とする請求項１に記載のガイドインサートコネクタ。
【請求項５】
第１の収容空間は内錐体であり、
前記第２の筐体は錐体であることを特徴とする請求項４に記載のガイドインサートコネクタ。
【請求項６】
前記第２の筐体は、更に留め具を含み、
前記留め具の一端が前記第２の収容空間に係合され、他端が前記電子素子に設けられて、前記メスソケットを前記電子素子に固定することを特徴とする請求項１に記載のガイドインサートコネクタ。
【請求項７】
前記留め具は弾性部材であり、
前記弾性部材は第２の収容空間に挿入されて、前記第２の筐体を挟持することを特徴とする請求項６に記載のガイドインサートコネクタ。
【請求項８】
前記第２の筐体は、更に前記電子素子に設けられた位置あわせ部材を含むことを特徴とする請求項１に記載のガイドインサートコネクタ。
【請求項９】
前記第２の収容空間に位置する前記第２の電極は、外部からのワイヤを挟持するための挟持構造を提供することを特徴とする請求項１に記載のガイドインサートコネクタ。
【考案の詳細な説明】
【技術分野】
【０００１】
本考案は、コネクタの技術分野に関わり、特に大きなガイド角度を持つガイドインサートコネクタに関するものである。
【背景技術】
【０００２】
従来の回路基板は、オスプラグとメスソケットとを接続する時に、回路基板が視線を遮る可能性があり、ブラインド挿入のようにスムーズに直接接続できない。
【考案の概要】
【考案が解決しようとする課題】
【０００３】
ブラインド挿入は挿入の過程で、ミスアラインメントの原因により、オスプラグとメスソケットの破損、更に回路基板の破損を生じる可能性がある。
【０００４】
以上の問題に対して、本考案は、従来の技術における欠陥を解決するためのガイドインサートコネクタを提供する。
【課題を解決するための手段】
【０００５】
本考案の第一の目的は、回路基板及び電子素子に適用され、回路基板と電子素子をブラインド接続できるガイドインサートコネクタを提供する。
【０００６】
前記ガイドインサートコネクタにより、本考案の第二の目的は、接続時に大きなずれ許容度を許容して、ある範囲でスムーズにオスプラグとメスソケットとを接続できることである。
【０００７】
前記ガイドインサートコネクタにより、本考案の第三の目的は、メスソケットの筐体の外縁の大きさがオスプラグの筐体の内縁以下になることである。
【０００８】
前記ガイドインサートコネクタにより、本考案の第四の目的は、メスソケットの錐体をオスプラグの内錐体の収容空間に挿入することで、オスプラグとメスソケットの電極が電気的に接続される。
【０００９】
前記ガイドインサートコネクタにより、本考案の第五の目的は、メスソケットを回路基板に固定する又は回路基板から取り外すための留め具を提供する。
【００１０】
以上の目的及び他の目的を達成するために、本考案は、回路基板及び電子素子に適用されるガイドインサートコネクタを提供する。ガイドインサートコネクタは、オスプラグ及びメスソケットを備える。オスプラグは、第１の筐体及び第１の電極を有する。第１の筐体には、受け面を有する第１の収容空間が形成される。第１の筐体は、更に第１の開口のプラグ端を含む。第１の電極の一部が第１の収容空間に設けられるように第１の電極を第１の開口に設置し、第１の電極の別の部分は第１の筐体の外方に露出して回路基板を接続する。メスソケットは、第２の筐体及び第２の電極を有する。第２の筐体には、第２の収容空間及びガイド面が形成される。第２の筐体は、更に第２の開口のプラグ端を含む。第２の電極の一部が第２の収容空間に設けられて電子素子を接続するように第２の電極を第２の開口に設置する。なお、ガイド面は受け面に対応して設けられ、ソケット端はプラグ端に対応して設けられる。第１の収容空間がメスソケットのソケット端を覆うように、ガイド面は受け面に沿って滑り込まれ、第１の収容空間において、プラグ端をソケット端に挿入させ、第１の電極を第２の電極に電気的に接続する。
【００１１】
従来の技術と比較して、本考案のガイドインサートコネクタが提供する大きなガイド角度の設計は、正確な位置合わせを必要とせずに、オスプラグとメスソケットとをある許容変位量（例えば、数センチ以内）で接続できる。
【図面の簡単な説明】
【００１２】
【図１】図１は本考案の実施例にかかるガイドインサートコネクタの分解図である。
【図２】図２は本考案の実施例にかかるガイドインサートコネクタの接合図である。
【図３】図３は本考案の図１にかかるオスプラグの斜視図である。
【図４】図４（ａ）は本考案の図１にかかるオスプラグの上面図であり、（ｂ）は本考案の図１にかかるオスプラグの底面図である。
【図５】図５は本考案の図１にかかるオスプラグが回路基板に接続されることを示す図である。
【図６】図６は本考案の図１にかかるメスソケットの斜視図である。
【図７】図７（ａ）は本考案の図１にかかるメスソケットの上面図であり、（ｂ）は本考案の図１にかかるメスソケットの底面図である。
【図８】図８は本考案の図６にかかるメスソケットの第２の実施例を示す図である。
【図９】図９は本考案の図１にかかるガイドインサートコネクタが回路基板及び電子素子に接続されることを示す図である。
【考案を実施するための形態】
【００１３】
本考案の目的、特徴及び効果を十分に理解するために、後述の実施例及び図面に基づいて、本考案を説明する。
【００１４】
本考案において、「１つ」を使用して本明細書に記載されるユニット、デバイスを説明する。特に指摘しない限り、このような説明は、１つ、少なくとも１つを含むと理解され、かつ単数も同時に複数を含む。
【００１５】
本考案において、「含む」、「備える」、「有する」の用語又は他の類似用語は、非排他的なものをカバーすることを意図している。例えば、複数の要素を含むデバイス、構造、製品又は装置は、本明細書に記載された要素だけに限定されず。
【００１６】
図１は本考案の実施例にかかるガイドインサートコネクタの分解図である。図１において、ガイドインサートコネクタ１０は回路基板２及び電子素子４に適用される。本実施例では、電子素子４はファン６を例に説明し、当該ファン６はケーブル８に接続されてハウジング２０に設けられる。図９は本考案の図１にかかるガイドインサートコネクタが回路基板２及び電子素子４に接続されることを示す図である。別の実施例では、電子素子４は、ディスプレイアダプタ、アダプタカードなどの装置であってもよい、他の回路基板に置き換えてもよい。
【００１７】
図１に戻って図２を参照し、図２は本考案の実施例にかかるガイドインサートコネクタの接合図である。ガイドインサートコネクタ１０は、オスプラグ１２及びメスソケット１４を備える。
【００１８】
図２において、オスプラグ１２はメスソケット１４にセットされることで、オスプラグ１２とメスソケット１４とを接続し、更にオスプラグ１２の第１の電極１２４とメスソケット１４の第２の電極１４４とを電気的に接続する。図１の分離されたオスプラグ１２とメスソケット１４から図２の接合過程まで、メスソケット１４がその先端のテーパ構造でオスプラグ１２の第１の収容空間ＦＳＰに滑り込まれる。以下は、オスプラグ１２及びメスソケット１４を詳しく説明する。
【００１９】
図３、４（ａ）及び４（ｂ）を参照する。図３は本考案の図１にかかるオスプラグの斜視図であり、図４（ａ）は本考案の図１にかかるオスプラグの上面図であり、（ｂ）は本考案の図１にかかるオスプラグの底面図である。図３において、オスプラグ１２は、第１の筐体１２２及び第１の電極１２４を含む。
【００２０】
図４（ａ）において、第１の筐体１２２は矩形体を例に説明する。第１の筐体には、複数の開口１２２２が形成され、当該複数の開口１２２２はそれぞれ中央部分と側辺部分に形成される。中央部分及び側辺部分ではそれぞれが４つの開口１２２２を例に説明する。第１の電極１２４は中央部分における開口１２２２を貫通し、固定部材１２６は側辺部分における開口１２２２を貫通する。第１の電極１２４の一端は後述の第２の電極１４４の一端と電気的に接続され、固定部材１２６の一端は回路基板２にはんだ付けされて、第１の筐体１２２を回路基板２に固定する。
【００２１】
図４（ｂ）において、第１の筐体１２２には、受け面１２２４を有する第１の収容空間ＦＳＰが形成される。ここで、第１の収容空間ＦＳＰが内錐体になるように、受け面１２２４は第１の折り曲げ線１２２４’で斜めに変化する。即ち、第１の収容空間ＦＳＰのサイズは、第１の折り曲げ線１２２４’の後から第２の折り曲げ線１２２４’’まで徐々に縮小されて、第２の折り曲げ線１２２４’’の間に１つのプラグ端１２２６が形成される。ここでのプラグ端１２２６は２つの矩形体を例に説明する。よって、第１の電極１２４の一部が第１の収容空間ＦＳＰに設けられるように第１の電極１２４を開口１２２２に設置し、第１の電極１２４の別の部分は第１の筐体１２２の外方に露出して回路基板２を接続する。図５は本考案の図１にかかるオスプラグが回路基板に接続されることを示す図である。
【００２２】
図６、７（ａ）及び７（ｂ）を参照する。図６は本考案の図１にかかるメスソケットの斜視図であり、図７（ａ）は本考案の図１にかかるメスソケットの上面図であり、（ｂ）は本考案の図１にかかるメスソケットの底面図である。図６において、メスソケット１４は、第２の筐体１４２及び第２の電極１４４を含む。
【００２３】
図７（ａ）において、第２の筐体１４２には、開口１４２２及びガイド面１４２４が形成される。第２の筐体１４２は、ソケット端１４２６を有する。本実施例では、ソケット端１４２６は、例として２つの矩形体の開口１４２２を含む。ガイド面１４２４は受け面１２２４に対応して設けられ、ソケット端１４２６はプラグ端１２２６に対応して設けられる。本実施例では、第２の筐体１４２が錐体になるように、ガイド面１４２４は第３の折り曲げ線１４２４’で斜めに変化し、第４の折り曲げ線１４２４’’まで、第４の折り曲げ線１４２４’’ の間にソケット端１４２６が形成される。本実施例では、ソケット端１４２６が第２の筐体１４２の中央部分に形成される。注意するのは、第２の筐体１４２の外周縁は、第１の筐体１２２の内周縁以下である。
【００２４】
図７（ｂ）において、第２の筐体１４２にも第２の収容空間ＳＳＰが形成され、第２の電極１４４の一部が第２の収容空間ＳＳＰに設けられて電子素子４を接続するように第２の電極１４４を開口１４２２に設置する。本実施例では、電子素子４はケーブル８を介して第２の収容空間ＳＳＰに設けられた第２の電極１４４に接続される。第２の電極１４４は、ケーブル８における金属ワイヤを挟持する折り曲げ可能な鉄片などの挟持構造を提供する。
【００２５】
図１及び図２を参照し、第２の筐体１４２の外周縁は、第１の筐体１２２の内周縁以下であるため、ガイド面１４２４が受け面１２２４に沿って滑り込まれて、メスソケット１４のソケット端１４２６がオスプラグ１２の第１の収容空間ＦＳＰに覆われる。且つ、第１の収容空間ＦＳＰにおいて、プラグ端１２２６をソケット端１４２６に挿入させて、第１の電極１２４と第２の電極１４４とを電気的に接続する。
【００２６】
図８は本考案の図６にかかるメスソケットの第２の実施例を示す図である。図８において、前述の実施例の第２の筐体１４２及び第２の電極１４４などを含むことに加えて、更に留め具１４６及び位置あわせ部材１４８を含む。
【００２７】
留め具１４６の一端が第２の収容空間ＳＳＰに係合され、他端が電子素子４に設けられて、メスソケット１４を電子素子４に固定する。本実施例では、留め具１４６は２つの弾性部材を例に説明する。弾性部材が第２の収容空間ＳＳＰに挿入された後、当該弾性部材の弾力によって第２の収容空間ＳＳＰの内部に位置する内壁を押圧して、第２の筐体１４２を挟持する。
【００２８】
位置あわせ部材１４８は、電子素子２の筐体２０に設けられてもよい。位置あわせ部材１４８の材質は、弾性体又は任意の材質であってもよい。位置あわせ部材１４８は、接合領域ＣＺを形成し、接合領域ＣＺの内周縁は第２の筐体１４の外周縁よりも僅かに大きいため、第２の筐体１４を筐体２０に設置する時に、位置あわせ部材１４８が指定した接合領域ＣＺ内に設置できる。本実施例では、前述の弾性部材を接合領域ＣＺに設置できるため、弾性部材を第２の収容空間ＳＳＰに挿入して、第２の筐体１４２を筐体２０の指定位置に挟持することができる。
【００２９】
本考案の実施例を説明したが、実施例は、例として提示したものであり、考案の範囲を限定することは意図していない。実施例は、その他の様々な形態で実施されることが可能であり、考案の要旨を逸脱しない範囲で、種々の省略、置き換え、変更を行うことができる。実施例やその変形は、考案の範囲や要旨に含まれると同様に、特許請求の範囲に記載された考案とその均等の範囲に含まれるものである。
【符号の説明】
【００３０】
２…回路基板
４…電子素子
６…ファン
８…ケーブル
２０…ハウジング
１０…ガイドインサートコネクタ
１２…オスプラグ
１２２…第１の筐体
１２２２…開口
１２２４…受け面
１２２４’…第１の折り曲げ線
１２２４’’… 第２の折り曲げ線
１２２６…プラグ端
１２４…第１の電極
１２６…固定部材
１４…メスソケット
１４２…第２の筐体
１４２２…開口
１４２４…ガイド面
１４２４’… 第３の折り曲げ線
１４２４’’… 第４の折り曲げ線
１４２６…ソケット端
１４４…第２の電極
１４６…留め具
１４８…位置あわせ部材
ＦＳＰ…第１の収容空間
ＳＳＰ…第２の収容空間
ＣＺ…接合領域
【図１】
0003227973.tif 000003
【図２】
0003227973.tif 000004
【図３】
0003227973.tif 000005
【図４】
0003227973.tif 000006
【図５】
0003227973.tif 000007
【図６】
0003227973.tif 000008
【図７】
0003227973.tif 000009
【図８】
0003227973.tif 000010
【図９】
0003227973.tif 000011